(57)【特許請求の範囲】
【請求項１】
水に浮かべて設置されてほぼ一定の間隔ごとにフロートが連結されているフロート部の下側に、下部に沈下用重錘が取り付けられたカーテンキャンバスの上部が取付けられることにより水中に吊り下げられている濁水流入防止用フェンスであって、
前記フロート部から前記カーテンキャンバスと並列に重錘支持ワイヤーが吊り下げられ、
前記沈下用重錘が、前記重錘支持ワイヤーに吊り下げられ前記重錘支持ワイヤーによって支持されるメインの重錘と、前記カーテンキャンバスの下部に吊り下げられ前記カーテンキャンバスによって支持されるサブの重錘とで構成され、
前記重錘支持ワイヤーに、前記カーテンキャンバスが、前記サブの重錘のみと共に前記フロート部付近まで引き上げ可能に、係止部材を介して係止されていることを特徴とする濁水流入防止用のフェンス。
【請求項２】
前記係止部材は、前記カーテンキャンバスに設けられ前記重錘支持ワイヤーが挿通される環状あるいは筒状の金具で、前記重錘支持ワイヤーに対応する部位で上下方向において一定の間隔で設けられていることを特徴とする請求項１記載の濁水流入防止用のフェンス。
【請求項３】
前記重錘支持ワイヤーが連結される前記フロート部は、前記重錘支持ワイヤーの上端部との間に、フラットプレートが設けられていることを特徴とする請求項１または２記載の濁水流入防止用のフェンス。
【請求項４】
前記重錘支持ワイヤーに沿ってカーテン丈調整用ロープが配設され、前記ロープの下端が前記サブの重錘に、上端が前記フロート部の上部に連結されていることを特徴とする請求項１または２記載の濁水流入防止用のフェンス。
【発明の詳細な説明】
【技術分野】
【０００１】
本発明には、濁水流入防止用のフェンスに関するものである。
【背景技術】
【０００２】
従来より、ダム貯水池には濁水流入防止用のフェンスが設置され、濁水の流入の防止を図っている。
【０００３】
ところで、そのような濁水流入防止用のフェンスのカーテン丈の調整は、カーテンキャンバスの下部にあらかじめ下端部を連結したロープの上端部を作業者が引き上げることでカーテンキャンバスを必要なカーテン丈だけ引き上げることで行っている。しかしながら、カーテンキャンバスを沈下させるためにカーテンキャンバスには下部に、カーテン沈下用の重錘が設けられており、その重錘が重いため、カーテンキャンバスを引き上げるのは重労働であり、カーテン丈の調整は困難な作業となっている。
【０００４】
つまり、図４（ａ）〜（ｃ）に示すように、フロート部１０１に設けられた係止具に上端部１０２ａが結びつけられたカーテン丈調整用ロープ１０２の下端部１０２ｂが、カーテンキャンバス１０３の下部に設けられる沈下用の重錘１０４に連結され、カーテンキャンバス１０３を引き上げる際に、カーテン丈調整用ロープ１０２に重錘１０４の重量及びカーテンキャンバス１０３の重量が作用するので、そのカーテン丈の調整を行う作業者の負担が大きくなっている。
【０００５】
例えば、河川等で水位が低下した後において一定量の増水による流水が発生し始める段階で、護岸面であった土などが乾燥することで流水が濁り、河床部に粗い粒子の流れが生じる場合があり、そのような場合には、少なくとも粗い粒子で埋まりやすいカーテンキャンバスの下部を水面付近まで浮上させる必要がある。
【０００６】
ところで、そのような濁水流入防止用のフェンスを開放するために、カーテンキャンバスの下部を水面付近まで浮上させるのに、エアーにより浮力調整可能なフロートを使用して行い得るようにしたものが提案されている（例えば、特許文献１参照）。
【先行技術文献】
【特許文献】
【０００７】
【特許文献１】特開２００３−１９３４５４号公報号公報
【発明の概要】
【発明が解決しようとする課題】
【０００８】
ところが、特許文献１記載の技術では、フロートの浮力を調整するので、その調整のための機構が必要であり、また、調整が困難である。
【０００９】
そこで、本発明は、カーテンキャンバスを沈下させるための重錘を工夫することで、カーテンキャンバスの引き上げを容易とし、カーテン丈の調整を簡単に行うことができる濁水流入防止用のフェンスを提供することを目的とする。
【課題を解決するための手段】
【００１０】
請求項１の発明は、水に浮かべて設置されてほぼ一定の間隔ごとにフロートが連結されているフロート部の下側に、下部に沈下用重錘が取り付けられたカーテンキャンバスの上部が取付けられることにより水中に吊り下げられている濁水流入防止用フェンスであって、前記フロート部から前記カーテンキャンバスと並列に重錘支持ワイヤーが吊り下げられ、前記沈下用重錘が、前記重錘支持ワイヤーに吊り下げられ前記重錘支持ワイヤーによって支持されるメインの重錘と、前記カーテンキャンバスの下部に吊り下げられ前記カーテンキャンバスによって支持されるサブの重錘とで構成され、前記重錘支持ワイヤーに、前記カーテンキャンバスが、前記サブの重錘のみと共に前記フロート部付近まで引き上げ可能に、係止部材を介して係止されていることを特徴とする。
【００１１】
このようにすれば、カーテンキャンバスをカーテン丈を調整するために引き上げる際には、カーテンキャンバスにはサブの重錘の重量が作用するだけであるので、カーテンキャンバスの引き上げ作業を容易とし、作業者の負担を軽くして、カーテン丈の調整を簡単に行うことができる。
【００１２】
この場合、請求項２に記載のように、前記係止部材は、前記カーテンキャンバスに設けられ前記重錘支持ワイヤーが挿通される環状あるいは筒状の金具で、前記重錘支持ワイヤーに対応する部位で上下方向において一定の間隔で設けられている構成とすることができる。
【００１３】
このようにすれば、カーテンキャンバスの環状あるいは筒状の金具に重錘支持ワイヤーを挿通する構成とすることで、カーテンキャンバスが、前記サブの重錘のみと共に前記フロート部付近まで引き上げ可能になるようにすることができる。
【００１４】
また、請求項３に記載のように、前記重錘支持ワイヤーが連結される前記フロート部は、前記重錘支持ワイヤーの上端部との間に、フラットプレートが設けられていることが望ましい。
【００１５】
このようにすれば、重錘支持ワイヤーを通じてメインの重錘の重量が作用するフロート部が、部分的に沈下するのを回避することができる。
【００１６】
また、請求項４に記載のように、前記重錘支持ワイヤーに沿ってカーテン丈調整用ロープが配設され、前記ロープの下端が前記サブの重錘に、上端が前記フロート部の上部に連結されている構成とすることができる。
【００１７】
このようにすれば、カーテン丈調整用ロープを用いて、カーテンキャンバスの引き上げを容易に行うことができる。
【発明の効果】
【００１８】
本発明は、上記のように構成したから、カーテンキャンバスを引き上げる際に、カーテンキャンバスにはサブの重錘の重量のみが作用するので、カーテンキャンバスの引き上げを容易とし、カーテン丈の調整を簡単に行うことができる。
【図面の簡単な説明】
【００１９】
【図１】本発明に係る濁水流入防止用のフェンスの一実施の形態を示し、（ａ）は平面図、（ｂ）は正面図、（ｃ）は側面図である。
【図２】前記フェンスの他の実施の形態についての要部拡大正面図である。
【図３】（ａ）〜（ｄ）はそれぞれカーテンキャンバスを巻き上げる動作の説明図である。
【図４】（ａ）〜（ｃ）は従来の濁水流入防止用フェンスの、カーテンキャンバスを巻き上げる動作の説明図である。
【発明を実施するための形態】
【００２０】
以下、本発明の実施の形態を図面に沿って説明する。
【００２１】
濁水流入防止用のフェンス１は、図１（ａ）（ｂ）（ｃ）に示すように、水に浮かべて設置されているフロート部２の下側に幅広のメインベルト３を介して、下部に沈下用重錘４が取り付けられたカーテンキャンバス５の上部が取付けられることにより水中に吊り下げられている。つまり、フロート部２に対しカーテンキャンバス５が水中に吊り下げられている。フロート部２は、フロート覆布６の内部に、複数のフロート７がほぼ一定の間隔ごとに連結して設けられてなる。
【００２２】
沈下用重錘３は、メインの重錘チェーン４Ａと、それよりも軽量の、サブの重錘チェーン４Ｂとで構成されている。そして、両重錘チェーン４Ａ，４Ｂは、上下方向（深さ方向）の位置が一致しないように、サブの重錘チェーン４Ｂが上方に位置するようにずれて配置されている。つまり、メインの重錘チェーン４Ａの上方位置あるいは斜め上方位置において、キャンバス長手方向に沿って、サブの重錘チェーン４Ｂが略平行に配置されている。
【００２３】
カーテンキャンバス５の上縁部及び下縁部の表裏面側にはキャンバス長手方向に沿って延びる幅広の第１の補強ベルト８Ａ，８Ａが設けられ、幅広の補強ベルト８Ｂ，８Ｂは、両側縁部の表裏面側にも設けられている。さらに、キャンバス長手方向において一定間隔でもって、上下方向に沿って延びる幅広の補強ベルト８Ｃが表裏面側に設けられている。
【００２４】
そして、カーテンキャンバス５の上下方向の中間部分の表裏面側にも、同様に、キャンバス長手方向に沿って延びる幅狭の補強ベルト９Ａが設けられている。また、キャンバス長手方向において一定間隔でもって、キャンバス上下方向に延びる補強ベルト８Ｃの一部の間にも、キャンバス上下方向に延びる幅狭の補強ベルト９Ｂが設けられている。そして、カーテンキャンバス５の下縁部に、サブの重錘チェーン４Ｂが設けられている。
【００２５】
上下方向に沿って延びる幅広の各補強ベルト８Ｃの表面側には、複数のカーテン丈調整用リング１０（環状あるいは筒状の金具）が上下方向に沿って一定間隔ごとに取り付けられている。
【００２６】
カーテン丈調整用リング１０が設けられる部分と並んでカーテン丈調整用ロープ１１が配置されており、そのカーテン丈調整用ロープ１１の下端がサブの重錘チェーン４Ｂに連結されている。このカーテン丈調整用ロープ１１の上端は、フロート部２の上部に設けられたカーテン丈調整用ロープ固定フック１２に縛り付けられている。そして、カーテン丈の調整時には、カーテン丈調整用ロープ１１を引き上げてカーテンキャンバス５の下端部を上方に引き上げ、カーテン丈を所望の長さとした後、再びカーテン丈調整用ロープ１１の上端部をロープ固定フック１２に縛り付けることで、前記所望のカーテン丈に固定することができる。
【００２７】
また、フロート部２には、メインの重錘チェーン４Ａが、チェーン吊り下げ用ワイヤー１３（重錘支持ワイヤー）を介して吊り下げられている。具体的には、補強ベルト８Ｃが設けられる位置に対応して上側の補強ベルト８Ａにチェーン取付プレート１４が取り付けられ、このチェーン取付プレート１４に、チェーン吊り下げ用ワイヤー１３の上端部を連結するためのチェーン取付シャックル１５が設けられている。このチェーン吊り下げ用ワイヤー１３の下端部には、メインの重錘チェーン４Ａに連結されている。
【００２８】
各チェーン吊り下げ用ワイヤー１３の途中の部分は、カーテン丈調整用リング１０に挿通されている。これによりカーテン丈調整用リング１０を介して、カーテンキャンバス５がチェーン吊り下げ用ワイヤー１３に拘束され、カーテンキャンバス５に直交する方向の流れに対してはメインの重錘チェーン４Ａの重量がカーテンキャンバス５に作用することになる。
【００２９】
よって、カーテンキャンバス５の下縁部には、軽量のサブの重錘チェーン４Ｂが設けられているだけであるが、カーテンキャンバス５に直交する方向の流れによってカーテンキャンバス５が大きく流されることはない。また、フェンス１に直交する方向に流れがあっても、チェーン吊り下げ用ワイヤー１３に対しカーテン丈調整用リング１０を介してカーテンキャンバス５が係止されているので、カーテンキャンバス５に直接設けられているサブの重錘チェーン４Ｂの重量が軽くても、カーテンキャンバス５のみが流されることがない。
【００３０】
一方、カーテンキャンバス５を巻き上げてフェンス丈を短くする場合には、チェーン吊り下げ用ワイヤー１３付近であってカーテン丈調整用リング１０の外側に配置されているカーテン丈調整用ロープ１１を引き上げることで、サブの重錘チェーン４Ｂと共にカーテンキャンバス５の下縁部が引き上げられることになる。このカーテン丈調整用ロープ１１の下端部は、カーテンキャンバス５の下端（サブの重錘チェーン４Ｂ）に連結されているので、カーテン丈調整用ロープ１１を引き上げることで、カーテン丈を調整することができる。この引き上げの際、カーテン丈調整用リング１０が設けられている部分を基準としてカーテンキャンバス５が折り畳まれつつ引き上げられ、カーテン丈調整用リング１０は積層状態となっていく（図３（ａ）〜（ｄ）参照）。
【００３１】
上記のように構成すれば、カーテン丈を短くするためにカーテン丈調整用ロープ１１を用いて、カーテンキャンバス５を折り畳みながら引き上げる場合には、メインの重錘チェーン４Ａはチェーン吊り下げ用ワイヤー１３によって吊り下げられていることから、水中に残される。よって、カーテンキャンバス５と一緒に引き上げられるのはサブの重錘チェーン４Ｂだけであるので、引き上げに要する労力が大幅に軽減される。また、チェーン吊り下げ用ワイヤー１３とカーテン丈調整用リング１０の係合関係でカーテンキャンバス５は上下方向においてスムーズに案内される。
【００３２】
なお、特許文献１記載の技術のようにエアーによりフロートの浮力を調整するものではないので、構造が簡単である。
【００３３】
一方、カーテン丈を長くするためにカーテンキャンバス５を沈める場合には、カーテンキャンバス５の下縁部にはサブの重錘チェーン４Ｂが設けられているので、それの重量により水中に無理なく、所定深さまで沈下させることができ、所望のカーテン丈とすることができる。この場合も、チェーン吊り下げ用ワイヤー１３とカーテン丈調整用リング１０との係合関係でカーテンキャンバス５は上下方向において、折りたたみを解除されながらスムーズに沈下していくことになる。
【００３４】
前記実施の形態のほか、次のように変更して実施することも可能である。
【００３５】
(i)チェーン吊り下げ用ワイヤー１３（重錘支持ワイヤー）が連結されているフロート部２の部分には、図２に示すように、フラットプレート２１（例えばＦＲＰ製の軽量の板材）を設けて、剛性を高めることができる。この部分には、チェーン吊り下げ用ワイヤー１３を通じてメインの重錘チェーン３Ａの荷重が作用して、フロート部２が下方に撓むおそれがあるので（図２の右側の鎖線参照）、フラットプレート２１を設けることでそれを回避することができる。
【００３６】
(ii)カーテン丈調整用リング１０（環状あるいは筒状の金具）を用いてチェーン吊り下げ用ワイヤー１３に対してカーテンキャンバス５が係止されているが、カーテンキャンバス５を引き上げ可能に係止できるのであれば、カーテン丈調整用リング１０のような環状あるいは筒状の金具を用いる必要はなく、別の係止部材を用いることもできる。
【符号の説明】
【００３７】
１  濁水流入防止用のフェンス
２  フロート部
４  重錘
４Ａ  メインの重錘チェーン
４Ｂ  サブの重錘チェーン
５  カーテンキャンバス
７  フロート
１０  カーテン丈調整用リング（環状あるいは筒状の金具）
１１  カーテン丈調整用ロープ
１２  カーテン丈調整用ロープ固定フック
１３  チェーン吊り下げ用ワイヤー（重錘支持ワイヤー）
【図１】
0005400810.tif 000002
【図２】
0005400810.tif 000003
【図３】
0005400810.tif 000004
【図４】
0005400810.tif 000005